(57)【要約】【課題】外乱によっても静電チャックとフォーカスリングとの間の隙間の大きさの増大を抑制できるフォーカスリングを提供する。【解決手段】プラズマ処理される被処理基板を載置する基板載置台６１，６５，６８，７１上に配設される環状のフォーカスリング１であって、このフォーカスリング１は、基板載置台６１，６５，６８，７１上に載置された被処理基板の周囲を囲むように配設される内周リング２と、内周リング２の外周を囲むように配設される外周リング３とから構成される。内周リング２は環状形状を有し、その周方向に複数に分割された分割リングを組み合わせてなり、外周リング３にはその内周面が外周側から内周側に進むに従って高くなる第１傾斜面３ｎが設けられ、外周リング３は、その第１傾斜面３ｎが各分割リングの外周面の少なくとも一部で当接することにより、各分割リングに対して中心部に向かった荷重を作用させるように構成される。【選択図】図５
2019169699.tif 000002
【特許請求の範囲】
【請求項１】
プラズマ処理される被処理基板を載置する基板載置台上に配設される環状のフォーカスリングであって、
前記フォーカスリングは、前記基板載置台上に載置された被処理基板の周囲を囲むように配設される内周リングと、前記内周リングの外周を囲むように配設される外周リングとから構成され、
前記内周リングは環状形状を有し、その周方向に複数に分割された分割リングを組み合わせてなり、
前記外周リングの内周面は、その底面に対する高さが外周側から内周側に進むに従って高くなる第１傾斜面となっており、
前記外周リングは、その第１傾斜面が前記各分割リングの外周面の少なくとも一部で当接することにより、前記各分割リングに対して中心部に向かった荷重を作用させるように構成されることを特徴とするフォーカスリング。
【請求項２】
前記外周リングは、前記基板載置台の配設面に対して所定の隙間が形成されるように前記基板載置台上に配設されることを特徴とする請求項１記載のフォーカスリング。
【請求項３】
前記外周リングの下面に対する第１傾斜面の第１傾斜角は、１１０度以上１３５度以下であることを特徴とする請求項１又は２記載のフォーカスリング。
【請求項４】
前記内周リングの外周面は、底面に対する高さが内周側から外周側に進むに従って低くなる第２傾斜面となっており、
前記外周リングの下面に対する第１傾斜面の第１傾斜角は、前記内周リングの上面に対する第２傾斜面の第２傾斜角と略同一であることを特徴とする請求項３記載のフォーカスリング。
【請求項５】
前記外周リングは、前記外周リングを前記基板載置台上に配設したときに、該外周リングの外周面が前記外周リングの配設面の外縁よりも径方向に突出するように形成されていることを特徴とする請求項１〜４のうちのいずれか１つに記載のフォーカスリング。
【請求項６】
前記基板載置台はさらにバイアス電位を印加する下部電極を備え、
前記内周リングにおいて、該内周リングと前記下部電極とが接触する面を含む一部の部位は、前記フォーカスリングを構成する他の部位の材料よりも低誘電率の材料で形成されることを特徴とする請求項１〜５のうちのいずれか１つに記載のフォーカスリング。
【請求項７】
前記低誘電率の材料は石英であることを特徴とする請求項６記載のフォーカスリング。
【請求項８】
前記内周リングにおける各分割リングの接合部は、鉤型形状をしていることを特徴とする請求項１〜７のうちのいずれか１つに記載のフォーカスリング。
【請求項９】
前記各分割リングは、その表面がイットリウムを含む酸化物又はフッ化物によりコーティングされていることを特徴とする請求項１〜８のうちのいずれか１つに記載のフォーカスリング。
【請求項１０】
請求項１〜９のうちのいずれか１つに記載のフォーカスリングを備えたことを特徴とするプラズマ処理装置。
【発明の詳細な説明】
【技術分野】
【０００１】
本発明は、フォーカスリング及びこれを備えたプラズマ処理装置に関し、特に、プラズマ処理を行う処理チャンバ内にあって、プラズマ処理される半導体基板の周囲を囲むように配設されるフォーカスリング及びこれを備えたプラズマ処理装置に関する。
【背景技術】
【０００２】
従来、処理チャンバ内に所定のガスを供給してプラズマ化させ、プラズマ中のラジカルやイオンを衝突させることによって、処理チャンバ内の静電チャック（ＥＳＣ）上に載置された半導体基板（被処理基板）にエッチング処理を施すプラズマ処理装置が知られている。ここで、プラズマ中のラジカルやイオンを半導体基板に集中させて、効率良くエッチング処理を施すために半導体基板の周囲を囲むように環状のフォーカスリングが取り付けられるのが一般的である。このフォーカスリングの内径は、静電チャックの外径よりも大径に設計されており、静電チャックとフォーカスリングとの間には所定の隙間が存在する。プラズマ処理（エッチング処理も含む）で生じた反応生成物がこの隙間内にデポジットとして堆積し、このデポジットが剥がれた際に静電チャック表面上に付着すると、基板の静電吸着に不具合が生じる静電吸着エラー（以下、単に、静電吸着エラーという。）が発生するという問題があった。さらに、下部電極に高周波電力を印加すると、プラズマ中のイオンやラジカルがフォーカスリング表面に強いエネルギーで衝突してその表面が削られる。そして、削られたフォーカスリングの構成物質がその隙間内に入り込んでパーティクルとして半導体基板の裏面に付着するという問題があった。
【０００３】
この問題を解消するための対策が従来から検討されてきており、例えば特許文献１（特開２００９−２９００８７号）には静電チャックとフォーカスリングとの間の隙間を出来るだけ狭くするフォーカスリングが開示されている。ここでは、環状の周方向に沿って複数に分割されたフォーカスリング片の組み合わせ体からなるフォーカスリングであって、複数のフォーカスリング片をそれぞれフォーカスリングの中心に向かって付勢する樹脂材料又はゴム材料からなるＯリングを設けることが開示されている。これにより、温度変化に起因する静電チャックの拡大又は縮小に応じてフォーカスリングの内径を追従させることができるので、静電チャックとフォーカスリングとの間の隙間を可及的に小さくできる。
【先行技術文献】
【特許文献】
【０００４】
【特許文献１】特開２００９−２９００８７号
【発明の概要】
【発明が解決しようとする課題】
【０００５】
ところが、上記従来技術では、フォーカスリングを構成する各フォーカスリング片を外周側から締め付ける樹脂材料又はゴム材料からなるＯリングを設ける必要がある。このＯリングの材質は、フッ素系やパーフロ系のものが考えられる。フッ素系Ｏリングは、交換時にシール面に貼り付くことは稀であるが、耐プラズマ性が悪く、劣化により頻繁に交換しなければならない。パーフロ系Ｏリングは、耐プラズマ性は比較的良好であるものの、交換時にシール面に貼り付きやすく、作業効率が悪いという問題がある。また、シリコーンゴム製Ｏリングは、耐プラズマ性やアウトガスの点で問題がある。さらに、一般にＯリングの耐熱性には限度がある。従って、何れのものも、上記プラズマ処理装置の処理チャンバ内にＯリングを装着する場合には、メンテナンス性が悪いという問題がある。
【０００６】
本発明は、以上の実情に鑑みなされたものであって、Ｏリングなどの消耗品を使用することなしに、静電チャックとフォーカスリングとの間の隙間が増大しないフォーカスリング及びこれを備えたプラズマ処理装置の提供を、その目的とする。
【課題を解決するための手段】
【０００７】
上記目的を達成するための本発明は、プラズマ処理される被処理基板を載置する基板載置台上に配設される環状のフォーカスリングであって、前記フォーカスリングは、前記基板載置台上に載置された被処理基板の周囲を囲むように配設される内周リングと、前記内周リングの外周を囲むように配設される外周リングとから構成され、前記内周リングは環状形状を有し、その周方向に複数に分割された分割リングを組み合わせてなり、前記外周リングの内周面は、その底面に対する高さが外周側から内周側に進むに従って高くなる第１傾斜面となっており、前記外周リングは、その第１傾斜面が前記各分割リングの外周面の少なくとも一部で当接することにより、前記各分割リングに対して中心に向かった荷重を作用させるように構成されたフォーカスリングに係る。
【０００８】
このフォーカスリングでは、外周リングがその第１傾斜面で内周リングの外周面の少なくとも一部で当接することにより、各分割リングに対してフォーカスリングの中心に向けた荷重を作用させる。ここで、「荷重を作用させる」とは、荷重を作用させ続けるという意味だけでなく、各分割リングに対してフォーカスリングの中心に向う荷重を作用させた結果、各分割リングが、正規の位置に配設され、その位置の移動が規制されている状態をも含む。したがって、頻繁に交換しなければならないＯリング等の消耗品を使用することなしに、静電チャックとフォーカスリングとの間の隙間を可及的に小さくすることが可能となるので、プラズマ処理で生じた反応生成物などが隙間内にデポジットとして堆積する量が低減される。このため、デポジットが剥がれた際に、これが静電チャック表面に付着することによって生じる静電吸着エラーを回避することができる。
【０００９】
また、内周リングには外周リングの重量（荷重）がその径方向だけでなく重力方向にも作用するので、各種外乱によって生じる内周リングの浮き上りも抑制できる。したがって、各種外乱によって静電チャックとフォーカスリングとの間の隙間が増大することはない。
【００１０】
また、このフォーカスリングによれば、外周リングと内周リングとの接合部において、平面から視た状態でその下方に位置する部材が見えない（露出しない）構造とすることが可能となる。
【００１１】
さらに、このフォーカスリングによれば、内周リングは、複数の分割リングの組み合わせ体であるので、内周リング自身の熱歪み又は熱衝撃による当該内周リングのひび割れ等を抑制することが可能となる。またさらに、各分割リングを径方向にスライドさせながら取り外すことができるので、フォーカスリングを取り外す時にオリフラ部における噛み込みを防止することができ、各分割リングを基板載置台上から容易に取り外すことができる。
【００１２】
本明細書で、「重力方向」とは、厳密な意味での「重力方向」に加え、分割リングが浮き上がるのを規制する方向で、斜め方向も含むものとする。例えば特許文献１記載のように、Ｏリングを用いて径方向（水平方向）だけに力が作用するように構成される場合には、分割リングの形状や、Ｏリングの捻れなどに起因して、分割リングが浮き上がる虞がある。これに対して、このような浮き上りを規制する方向を「重力方向」とする。
【００１３】
また、本明細書で、「外乱」とは、基板載置台の昇降動作、排気用ポンプ及びガス供給装置の動作、リフタ（リフトピン）の昇降動作、熱膨張と冷却との繰り返しなど、静電チャックとフォーカスリングとの間の隙間に影響を与えるあらゆる事象を含む。
【００１４】
また、前記フォーカスリングにおいて、前記外周リングは、前記基板載置台の配設面に対して所定の隙間が形成されるように前記基板載置台上に配設されてもよい。
【００１５】
このフォーカスリングによれば、フォーカスリングの径方向及び重力方向へ向けた押圧力をさらに増大させることが可能となる。したがって、静電チャックとフォーカスリングとの間の隙間をより小さくし、各種外乱による隙間の増大をより抑制することができる。
【００１６】
また、前記フォーカスリングにおいて、前記外周リングの下面に対する第１傾斜面の第１傾斜角は、１１０度以上１３５度以下であるのが好ましい。
【００１７】
このフォーカスリングによれば、当該フォーカスリングによる径方向及び重力方向へ向けた押圧力をさらに増大させることが可能となる。したがって、静電チャックとフォーカスリングとの間の隙間をより小さくし、各種外乱による隙間の増大をより抑制することができる。
【００１８】
さらに、前記フォーカスリングにおいて、前記内周リングの外周面は、底面に対する高さが内周側から外周側に進むに従って低くなる第２傾斜面となっている。尚、前記外周リングの下面に対する第１傾斜面の第１傾斜角は、前記内周リングの上面に対する第２傾斜面の第２傾斜角と略同一であってもよい。
【００１９】
このフォーカスリングによれば、外周リングが内周リングの外周面に沿って装着しやすくなりメンテナンス性が向上するとともに外周リングと内周リングとの位置関係が変わるのを防止できる。
【００２０】
さらに、前記フォーカスリングにおいて、前記外周リングは、前記外周リングを前記基板載置台上に配設したときに、該外周リングの外周面が前記外周リングの配設面の外縁よりも径方向に突出するように形成されてもよい。
【００２１】
このフォーカスリングによれば、外周リングを基板載置台上から容易に取り外すことが可能となりメンテナンス性が向上する。
【００２２】
前記基板載置台はさらにバイアス電位を印加する下部電極を備え、前記内周リングにおいて、該内周リングと前記下部電極とが接触する面を含む一部の部位は、前記フォーカスリングを構成する他の部位の材料よりも低誘電率の材料、例えば石英などで形成されていてもよい。
【００２３】
このフォーカスリングによれば、内周リングと下部電極との接触面が低誘電率の材料で形成されているので、プラズマから見るインピーダンスを高くでき、内周リングへのイオン衝撃を低減することが可能となる。
【００２４】
さらに、前記内周リングにおける各分割リングの接合部は、鉤型形状となっていてもよい。
【００２５】
このフォーカスリングによれば、内周リングを構成する各分割リングの接合部において、平面から視た状態でその下方に位置する下部電極が見えない（露出しない）構造とすることが可能となる。したがって、下部電極にプラズマが集中するのを防止することができ、これによってプロセスが変動するのを抑制することができる。
【００２６】
さらに、前記各分割リングは、その表面がイットリウムを含む酸化物又はフッ化物によりコーティングされていてもよい。
【００２７】
このフォーカスリングによれば、プラズマ中のイオンやラジカルがフォーカスリングの表面に強いエネルギーで衝突したとしてもその表面が削られにくくなる。
【００２８】
また、本発明は、前記フォーカスリングを備えたプラズマ処理装置を提供する。
【００２９】
このプラズマ処理装置によれば、静電チャックとフォーカスリングとの間の隙間を可及的に小さくすることができるので、プラズマ処理で生じた反応生成物が隙間内にデポジットとして堆積する量が低減される。このため、デポジットが剥がれた際に、当該デポジットが静電チャック表面に付着することによって生じる静電吸着エラーを回避することができる。さらに、下部電極が露出されず、プラズマ集中が生じないのでプロセスの変動を抑制することができる。
【発明の効果】
【００３０】
以上のように、本発明に係るフォーカスリングによれば、静電チャックとフォーカスリングとの間の隙間を可及的に小さくすることができる。さらに、各種外乱によって静電チャックとフォーカスリングとの間の隙間が増大するのを抑制することができるので、プラズマ処理で生じた反応生成物などがデポジットとして前記隙間内に堆積する量を低減することができる。
【図面の簡単な説明】
【００３１】
【図１】本発明の一実施形態に係るプラズマ処理装置の概略的な構成を示す縦断面図である。
【図２】図１の基板載置台の縦断面拡大図である。
【図３】（ａ）は図１のフォーカスリングの平面図であり、（ｂ）は（ａ）のＡ−Ａ線に沿って切断したときのフォーカスリングの縦断面図である。
【図４】図３の内周リングにおいて、隣接する分割リングの接合部の形状の例を示す説明図である。
【図５】図２におけるフォーカスリングを概略的に示す拡大断面図である。
【図６】図１のフォーカスリングをプラズマ処理装置の基板載置台上に配設する手順を示した説明図である。
【図７】図１のフォーカスリングをプラズマ処理装置の基板載置台上から取り外す手順を示した説明図である。
【図８】本発明の第２の実施形態に係るフォーカスリングを概略的に示す拡大断面図である。
【図９】本発明の第３の実施形態に係るフォーカスリングを概略的に示す拡大断面図である。
【図１０】（ａ）は図３（ａ）の分割リング２ａの斜視図であり、（ｂ）は図３（ａ）の分割リング２ｂの斜視図であり、（ａ）は図３（ａ）の分割リング２ｃの斜視図である。
【図１１】フォーカスリングの接合状態を説明するための説明図である。
【図１２】本発明の更に他の実施形態に係るフォーカスリングを概略的に示す拡大断面図である。
【発明を実施するための形態】
【００３２】
以下、本発明に係る実施形態について図面を参照して説明する。
【００３３】
［第１の実施形態］
図１は本発明の第１の実施形態に係るプラズマ処理装置１０の概略的な構成を示した縦断面図である。図１のプラズマ処理装置１０は、閉塞空間を有する処理チャンバ１１と、この処理チャンバ１１内に、昇降シリンダ（図示せず）に接続された支持部材６９により昇降自在に配設され、５０ｍｍ〜３００ｍｍの大きさのウェハ等の被処理基板Ｋが載置される基板載置台１５と、該基板載置台１５内に設けられたリフタ（図示せず）を昇降させることにより、該基板載置台１５上の被処理基板Ｋを昇降させる昇降シリンダ１９と、基板載置台１５上に載置された被処理基板Ｋの周囲を囲むように配設される環状のフォーカスリング１とを備えて構成される。さらに、図１のプラズマ処理装置１０は、処理チャンバ１１内にエッチングガス、保護膜形成ガス及び不活性ガスを供給するガス供給装置２０と、処理チャンバ１１内に供給されたエッチングガス、保護膜形成ガス及び不活性ガスをプラズマ化するプラズマ生成装置３０と、処理チャンバ１１内の圧力を減圧する排気装置４０と、基板載置台１５にバイアス電位用の高周波電力を供給する高周波電源３５と、基板載置台１５に静電吸着用の電圧を印加する静電吸着用電源（図示せず）とを備えて構成される。
【００３４】
図１に示すように、処理チャンバ１１は、相互に連通した内部空間を有する上チャンバ１２及び下チャンバ１３から構成される。
【００３５】
ガス供給装置２０は、エッチングガスとして、ＳＦ６ガスを供給するＳＦ６ガス供給部２１と、保護膜形成ガスとして、Ｃ４Ｆ８ガス及びＯ２ガスをそれぞれ供給するＣ４Ｆ８ガス供給部２２及びＯ２ガス供給部２３と、不活性ガスとして、例えば、Ａｒガスなどを供給する不活性ガス供給部２４とを備える。ガス供給用の供給管２５は、一端が上チャンバ１２の上面に接続し、他端が分岐してＳＦ６ガス供給部２１、Ｃ４Ｆ８ガス供給部２２、Ｏ２ガス供給部２３及び不活性ガス供給部２４にそれぞれ接続している。ＳＦ６ガス供給部２１、Ｃ４Ｆ８ガス供給部２２、Ｏ２ガス供給部２３及び不活性ガス供給部２４から供給管２５を介して、処理チャンバ１１内にＳＦ６ガス、Ｃ４Ｆ８ガス、Ｏ２ガス及び不活性ガスが供給される。なお、本例では、上述したガスを用いるが、エッチングする対象によっては、例えばＨＢｒ、Ｃｌ２、Ａｒ、Ｎ２などのガスを用いてもよい。
【００３６】
プラズマ生成装置３０は、誘導結合プラズマ（ＩＣＰ）を生成する装置であって、上チャンバ１２に配設された螺旋状（環状）のコイル３１と、このコイル３１に高周波電力を供給する高周波電源３２とから構成されている。高周波電源３２によってコイル３１に高周波電力を供給することで、上チャンバ１２内に供給されたＳＦ６ガス、Ｃ４Ｆ８ガス、Ｏ２ガス及び不活性ガスがプラズマ化される。
【００３７】
基板載置台１５に接続される高周波電源３５は、基板載置台１５の下部電極６１に高周波電力を供給することで、下部電極６１とプラズマとの間にバイアス電位を与え、ＳＦ６ガス、Ｃ４Ｆ８ガス、Ｏ２ガス及び不活性ガスのプラズマ化により生成されたイオンを、基板載置台１５上に載置された被処理基板Ｋに入射させる。
【００３８】
排気装置４０は、処理チャンバ１１内の気体を吸引し、排気する真空ポンプ４１と、排気管４２とから構成されており、排気管４２は、一端が真空ポンプ４１に接続し、他端が下チャンバ１３の側面に接続している。この排気管４２を介して、真空ポンプ４１が処理チャンバ１１内の気体を吸引し、処理チャンバ１１内を真空状態とする。
【００３９】
図２は図１の基板載置台１５の縦断面拡大図である。図２の基板載置台１５は、例えばアルミナや窒化アルミニウムなどで形成され、円盤状の被処理基板Ｋと略同形状の静電チャック７１と、この静電チャック７１の下側に配置され、バイアス電位を印加する下部電極６１とを備えて構成される。また、下部電極６１は、静電チャック７１と略同形状の上側円盤部６１ａと、この上側円盤部６１ａよりも大きな径を有する下側円盤部６１ｂとから構成され、これらは一体形成されている。ここで、下部電極６１は凸状を有し、その上面が静電チャック７１の下面に接するように配置されている。また、静電チャック７１は、静電吸着用の電極を内部に含むように構成され、静電吸着用電極に電圧を印加すると、静電誘導により、被処理基板Ｋが静電チャック７１の上面である上端チャック面に吸着保持される。なお、静電チャック７１は、被処理基板Ｋを静電吸着するための静電フィルムを静電チャック７１の上面（上端チャック面）に貼付するように構成されていてもよい。
【００４０】
さらに、図２の基板載置台１５は、下部電極６１のうちの下側円盤部６１ｂの径方向外側を囲む環状カバー６５と、環状カバー６５の径方向の外周を囲む外郭ケース６８とを備えて構成される。そして、下部電極６１のうちの上側円盤部６１ａ及び静電チャック７１の側壁部分の外周を囲むようにフォーカスリング１が配設される。また、ヘリウムガス供給部５２は、ブラケット（図示せず）に螺着された継手及びガス通路を介して静電チャック７１の上面（チャック面）に連通しており、被処理基板Ｋの裏面にＨｅガスを供給できるように構成されている。さらに、チラーユニット５１は、下部電極６１内に冷却用の冷媒を供給する。
【００４１】
前記フォーカスリング１は、下部電極６１のうちの上側円盤部６１ａの径方向外側において、下側円盤部６１ｂの上面を覆っている。静電チャック７１の上端チャック面は、フォーカスリング１の上面より僅かに高くなるように設定され、かつ、被処理基板Ｋの外周端の形状とフォーカスリング１の内周縁の形状が略一致している。
【００４２】
ここで、本例のフォーカスリング１の構成について詳述する。本例のフォーカスリング１は、径方向に対して同心円状に環状の内周リング２と環状の外周リング３とに２分割されて構成され、さらに、内周リング２が環状の周方向に沿って３分割された円弧状の分割リング（分割片）の組み合わせ体から構成されている。ここで、当該フォーカスリング１は、３つの分割リングがそれぞれその外周部に沿って配設される環状の外周リングによって、フォーカスリング１の中心に向けた荷重を受けるように構成されている。この構成により、各種外乱によるフォーカスリング１（特に、内周リング２）の浮き上りを防止でき、静電チャック７１と内周リング２との間の隙間が増大するのを抑制することができるという特有の効果を奏するものである。以下詳細に説明する。
【００４３】
図３（ａ）は図１のフォーカスリング１の平面図であり、図３（ｂ）は図３（ａ）のＡ−Ａ線に沿って切断したときのフォーカスリング１の縦断面図である。また、図４（ｃ）は図３の内周リング２における分割リングの接合部の形状を示した説明図である。また、図１０（ａ）は図３（ａ）の分割リング２ａの斜視図であり、図１０（ｂ）は図３（ａ）の分割リング２ｂの斜視図であり、図１０（ｃ）は図３（ａ）の分割リング２ｃの斜視図である。上述したように、フォーカスリング１は基板載置台１５上に載置された被処理基板Ｋの周囲を囲むように配設される環状の内周リング２と該内周リング２の外周を囲む外周リング３とから構成される。
【００４４】
図３（ａ）に示すように、内周リング２は環状の周方向に沿って３分割された円弧状の分割リング２ａ，２ｂ，２ｃがそれぞれに組み合わされて構成される。ここで、分割リング２ａ，２ｂ，２ｃそれぞれの両端部は、隣接する分割リング２ａ，２ｂ，２ｃの端部が互いに重なるような形状を有している。
【００４５】
図３（ｂ），図４（ｃ）及び図１０に示すように、分割リング２ａ，２ｂ，２ｃの相互接合部は鉤型形状となっており、このように、接合部を鉤型形状とすることで、平面から視た状態で、その接合部において、その下方に位置する部材、即ち、下部電極６１及び環状カバー６５が見えない（露出しない）構造にすることができる。これにより、下部電極６１にプラズマが集中するのを防止することができ、プラズマ集中によって、プロセスに変動が生じるのを抑制することができる。ここで、「鉤型形状」とは端部が鉤のように直角に曲がった形状をいう。
【００４６】
また、各分割リング２ａ，２ｂ，２ｃは、各分割リング２ａ，２ｂ，２ｃの重心が内周面より中心側に位置するように構成されるのが好ましい。この構成により、各分割リング２ａ，２ｂ，２ｃが配設される際に内側に傾こうとするので基板載置台１５への各分割リング２ａ，２ｂ，２ｃの配設が容易となる。
【００４７】
一方、外周リング３はその下面に対する傾斜角がθである傾斜面を有する。したがって、外周リング３は各分割リング２ａ，２ｂ，２ｃに対してフォーカスリング１の中心に向けた荷重を作用させることが可能となる。さらに、内周リング２が周方向に沿った３つの分割リング２ａ，２ｂ，２ｃにより構成されているので、内周リング２自身の熱歪み又は熱衝撃よる当該内周リング２のひび割れ等を抑制することが可能となる。
【００４８】
図５は図２におけるフォーカスリング１を概略的に示す拡大断面図である。図３（ａ）で説明したように、フォーカスリング１は、分割リング２ａ，２ｂ，２ｃを組み合わせて構成されており、この３つの分割リング２ａ，２ｂ，２ｃは、それぞれその外周部に沿って配設される環状の外周リング３によって、その径方向及び重力方向に向けた荷重を受けるように構成されている。したがって、各分割リング２ａ，２ｂ，２ｃの重力方向の移動を規制することが可能となる。詳細には、外周リング３の内周面は、底面に対する高さが外周側から内周側に進むに従って高くなる傾斜面３ｎとなっており、当該外周リング３は、傾斜面３ｎが内周リング２の外周面２ｍの少なくとも一部で当接することにより、各分割リング２ａ，２ｂ，２ｃに対して中心に向けた荷重を作用させる。したがって、頻繁に交換しなければならないＯリング等の消耗品を使用することなしに、静電チャック７１とフォーカスリング１との間の隙間Ｐを可及的に小さくすることができる。また、内周リング２には外周リング３の重量（荷重）がその径方向だけでなく重力方向にも作用する。したがって、各種外乱によって生じる内周リング２の浮き上りを抑制することができ、これにより、静電チャック７１と内周リング２との間の隙間Ｐが増大するのを抑制することができる。
【００４９】
このため、プラズマ処理で生じた反応生成物が隙間Ｐ内の領域Ｒにデポジットとして堆積する量を低減することができ、これにより、デポジットが剥がれた際に、当該デポジットが静電チャック７１の表面に付着することによって生じる静電吸着エラーを回避することができる。さらに、前記隙間を可及的に小さくすることで、下部電極６１が露出するのを防ぐことができ、これにより、当該下部電極６１にプラズマが集中するのを防止することができるとともに、このようにプラズマ集中を防止することで、プロセスが変動するのを抑制することができる。
【００５０】
また、図５に示すように、外周リング３は、配設面Ｔに対して所定の隙間Ｓが形成されるように基板載置台１５上に配設される。この構成により、外周リング３の径方向及び重力方向に向けた押圧力をさらに増大させることができる。したがって、静電チャック７１と内周リング２との間の隙間Ｐをより小さくし、各種外乱によって隙間Ｐが増大するのをより効果的に抑制することができる。
【００５１】
また、本例のフォーカスリング１では、図５に示すように、外周リング３と内周リング２との接合部において、平面から視て（矢印Ｆ方向から視て）、その下方に位置する部材である環状カバー６５が見えない（露出しない）構造となっている。ここで、分割リング２ａ，２ｂ，２ｃ同士の接合部を鉤型形状とし、さらに外周リング３と内周リング２との接合部も鉤型形状とすれば、その接合部において、平面から視て、その下方の部材が見えない（露出しない）構造とすることが可能となるように思われる。しかしながら、図１１に示すように、内周リング２’同士の接合部を鉤型形状とし、さらに内周リング２’と外周リング３’との接合部も鉤型形状とすると、内周リング２’同士の隙間と外周リング３’と内周リング２’との隙間とが重なるため、これを平面から視ると（矢示Ｇ方向から視ると）、その下方の部材が見える（露出された）状態となっている。これに対して、本例では、外周リング３の内周面を傾斜面３ｎとすることにより（図５参照）、外周リング３と内周リング２との接合部において、その下方の部材が露出するのを防止することができる。なお、図１１では、下方の部材が露出することを分かりやすくするために、外周リング３’を任意の断面で切断した状態を示している。
【００５２】
さらに、外周リング３の傾斜面３ｎは、下面３ｔに対する傾斜角θが１１０度以上１３５度以下であることが好ましい。この構成により、外周リング３の径方向及び重力方向に向けた押圧力をさらに増大させることが可能となる。したがって、静電チャック７１と内周リング２との間の隙間Ｐをより小さくし、各種外乱によって隙間Ｐが増大するのをより効果的に抑制することができる。
【００５３】
次に、本例のフォーカスリング１をプラズマ処理装置１０の基板載置台１５上に配設する手順、及びこれを取り外す手順について説明する。
【００５４】
図６は図１のフォーカスリング１をプラズマ処理装置１０の基板載置台１５上に配設する手順を示した説明図である。このフォーカスリング１を基板載置台１５上に設置する際には、図６（ａ）に示すように、作業者は先ず、分割リング２ａのオリフラ部（平坦部）ＯＦ１が、静電チャック７１の外周縁付近に設けられたオリフラ部（平坦部）ＯＦ２に合致するように、当該分割リング２ａを静電チャック７１の外周縁部に、その半径方向外側から中心に向けてスライドさせながら、或いは上方から降下させるようにして配置する。次に、図６（ｂ）に示すように、分割リング２ｂを、その分割リング２ａ側の端部が当該分割リング２ａの端部に接合されるように、静電チャック７１の外周縁部に、その半径方向外側から中心に向けてスライドさせながら、或いは上方から降下させるようにして配置する。次に、図６（ｃ）に示すように、両端部が分割リング２ａ及び分割リング２ｂの各端部に接合されるように、分割リング２ｃを静電チャック７１の外周縁部に、その半径方向外側から中心に向けてスライドさせながら、或いは上方から降下させるようにして配置する。これにより内周リング２の設置が完了する。最後に、図６（ｄ）に示すように、外周リング３を内周リング２の外周縁部に載せる。このようにして、作業者はフォーカスリング１を基板載置台１５上に設置する。
【００５５】
図７は、図１のフォーカスリング１をプラズマ処理装置１０の基板載置台１５上から取り外す手順を示した説明図である。フォーカスリング１を基板載置台１５上から取り外す際には、図７（ａ）に示すように、作業者は先ず、内周リング２に載せた状態にある外周リング３を上方に（矢印Ｂの方向に）持ち上げて取り外す。次に、図７（ｂ）に示すように、設置した手順とは逆の手順で、例えば、分割リング２ｃを半径方向の外側に向けて（矢示Ｅ方向に）スライドさせながら取り外し、次に、分割リング２ｂを半径方向の外側に向けて（矢示Ｄ方向に）スライドさせながら取り外し、ついで、分割リング２ａを半径方向の外側に向けて（矢示Ｃ方向に）スライドさせながら取り外す。このように、内周リング２は３つの分割片である分割リング２ａ，２ｂ，２ｃの組み合わせ体であるので、各分割片を半径向にスライドさせながら取り外すことができる。したがって、フォーカスリング１を取り外す際に、オリフラ部ＯＦ１（ＯＦ２）における噛み込みを防止することができるとともに、フォーカスリング１を基板載置台１５上から容易に取り外すことができる。斯くして、これらについてのメンテナンス性を向上させることができる。より具体的に説明すると、一体型のフォーカスリングを回転させて取り外す場合には、フォーカスリングと静電チャックとの間の隙間が小さいと、フォーカスリングを回転させて取り外す際に、オリフラ部で噛み込むという問題を生じるが、本例では、内周リングを複数の分割リングから構成しているので、当該内周リングを取り外す際には、これを分解することによって取り外すことができ、このため、オリフラ部で噛み込むという問題を生じない。
【００５６】
次に、このフォーカスリング１を備えたプラズマ処理装置１０の動作について説明する。
【００５７】
本例のプラズマ処理装置１０により、基板載置台１５上に載置された被処理基板Ｋに対して反応性イオンエッチング処理を行うには、先ず、フォーカスリング１が設置された基板載置台１５上に被処理基板Ｋを載置する。次に、ガス供給装置２０から上チャンバ１２内にＳＦ６ガス、Ｃ４Ｆ８ガス、Ｏ２ガス及び不活性ガスを供給するとともに、高周波電源３２からコイル３１に高周波電力を供給することにより、ＳＦ６ガス、Ｃ４Ｆ８ガス、Ｏ２ガス及び不活性ガスが高周波電力により励起されてプラズマとなる。一方、基板載置台１５には高周波電源３５から高周波電圧が印加され、これにより、当該基板載置台１５と処理チャンバ１１中のプラズマとの間で電位差（バイアス電位）が生じる。斯くして、プラズマ中の反応種によるエッチング作用や、バイアス電位によってプラズマ中のイオンが前記被処理基板Ｋの表面に引き込まれることにより、当該被処理基板Ｋに対してエッチング処理が施される。
【００５８】
以上のように、本例のフォーカスリング１を備えたプラズマ処理装置１０では、フォーカスリング１は、同心円状に配設される内周リング２と外周リング３との２つ部材から構成され、また、内周リング２は周方向に沿って３分割された分割リング２ａ，２ｂ，２ｃの組み合わせ体から構成される。そして、３つの分割リング２ａ，２ｂ，２ｃは外周リング３によって、その中心に向かう荷重を受けるように構成されているので、静電チャック７１と内周リング２との間の隙間Ｐを可及的に小さくすることができる。これにより、プラズマ処理で生じた反応生成物等がデポジットとして隙間Ｐ内に堆積する量が低減され、このデポジットが剥がれて静電チャック７１の表面に付着することによって生じる静電吸着エラーを回避することができる。さらに、下部電極６１が露出されない態様となっているので、下部電極６１にプラズマが集中することによってプロセスに変動が生じるのを効果的に抑制することができる。
【００５９】
［第２の実施形態］
次に、本発明の第２の実施形態に係るフォーカスリングについて説明する。図８は、第２の実施形態に係るフォーカスリングを概略的に示した拡大断面図である。図８に示すように、このフォーカスリング１Ａは、図５に示したフォーカスリング１と比較すると、内周リング２の代わりに内周リング２Ａを備え、外周リング３の代わりに外周リング３Ａを備えた点で、その構成が相違する。したがって、図８において、第１の実施形態と同じ構成については、同じ符号を付し、以下では、その詳しい説明を省略する。
【００６０】
本例の内周リング２Ａは、第１の実勢形態に係る内周リング２と比較すると、その外周面が、底面に対する高さが内周側から外周側に進むに従って低くなる傾斜面２Ａｍとなっている点で、その構成が相違する。ここで、外周リング３Ａの下面３ｔに対する傾斜面３ｎの傾斜角θ１は、内周リング２Ａの上面２Ａｔに対する傾斜面２Ａｍの傾斜角θ２と略同一である。
【００６１】
この構成により、外周リング３が内周リング２の外周面に沿って装着しやすくなりメンテナンス性が向上するとともに外周リング３と内周リング２との位置関係が変わるのを防止できる。また、外周リング３の内周面と内周リング２の外周面との間に空間が生じないので、異常放電の発生を抑制することができる。さらに、外周リング３を設置するときに、これが内周リング２の角部にあたって、当該内周リング２や外周リング３が欠けるのを防止することができる。
【００６２】
さらに、本例の外周リング３Ａは、第１の実施形態に係る外周リング３と比較すると、外周リング３Ａの外周面３Ａｓが基板載置台１５上の配設面Ｔの外縁から径方向に突出するように形成されている点で、その構成が相違する。この構成により、外周リング３Ａを基板載置台１５から容易に取り外すことが可能となりメンテナンス性が向上する。
【００６３】
［第３の実施形態］
次に、本発明の第３の実施形態に係るフォーカスリングについて説明する。図９は、第３の実施形態に係るフォーカスリングを概略的に示した拡大断面図である。図９に示すように、このフォーカスリング１Ｂは、図５に示したフォーカスリング１と比較すると、内周リング２の代わりに内周リング２Ｂを備えた点で、その構成が相違する。また、本例の内周リング２Ｂは、図５に示した内周リング２と比較すると、本例の内周リング２Ｂは、当該内周リング２Ｂと下部電極６１とが接触する面を含む部位２Ｂａが、フォーカスリング１Ｂを構成する他の部位の材料よりも低誘電率の石英で形成された点で、その構成が相違する。したがって、図９において、第１の実施形態と同じ構成については、同じ符号を付し、以下では、その詳しい説明を省略する。
【００６４】
このフォーカスリング１Ｂによれば、上述した第１及び第２の実施形態と同様の動作及び作用効果を得ることができる。さらに、本例のフォーカスリング１Ｂでは内周リング２Ｂの下部電極６１と接触する面を含む部位２Ｂａが、他の部位の材料よりも低い誘電率の石英で形成されているので、プラズマから見たインピーダンスを前記他の部位に比べて高くすることでき、これにより、当該内周リング２Ｂへのイオン衝撃を低減させることができる。
【００６５】
なお、本例では、内周リング２Ｂにおいて、該内周リング２Ｂと下部電極６１とが接触する全ての面を含む部位２Ｂａを低誘電率の石英から構成ようにしたが（図９参照）、これに限定されるものではなく、該内周リング２Ｂと下部電極６１とが接触する面の一部を含む部位を低誘電率の石英から構成してもよい。さらに、本例では、内周リング２Ｂの一部が低誘電率の材料から構成されるようにしたが、たとえば、石英などの低誘電率材料で形成された別部材（下部電極６１の凸部の側面を囲むようなリング状の部材など）を内周リング２Ｂと下部電極６１との間に介在させるように構成されてもよい。
【００６６】
以上、本発明の具体的な実施の形態について説明したが、本発明が採り得る態様は、何ら上述した第１〜第３の実施形態に限定されるものではない。
【００６７】
例えば、上述した第１〜第３の実施形態では、図５、図８及び図９に示したように、内周リング２、２Ａ及び２Ｂの上面の高さを静電チャック７１の上面の高さよりも、若干低くしたが、これに限られるものではなく、内周リング２、２Ａ及び２Ｂの上面の高さは、静電チャック７１の上面の高さと略同じ高さか、或いはこれよりも高い位置に設定されていても良い。
【００６８】
また、内周リング２、２Ａ及び２Ｂの上面の高さは、静電チャック７１上に載置される被処理基板Ｋの上面の高さよりも高い位置に設定されていても良い。そして、被処理基板Ｋの外径が静電チャック７１の外径よりも大径である場合には、図１２に示すような構成の内周リング２Ｃとすることができる。同図１２に示すように、この内周リング２Ｃは、内周面が下側の小径部２Ｃｎと上側の大径部２Ｃｐとからなる断面段付き状に形成されており、小径部２Ｃｎが静電チャック７１を囲み、大径部２Ｃｐが被処理基板Ｋを囲むように配置される。また、小径部２Ｃｎと大径部２Ｃｐとを接続する端面２Ｃｕの高さは、静電チャック７１の上面、即ち、被処理基板Ｋの下面よりも低い位置に設定され、内周リング２Ｃの上面２Ｃｔの高さは、被処理基板Ｋの上面Ｋｔの高さと、ほぼ同じ高さに設定されるか、若しくは若干低く、或いは逆に若干高く設定される。内周リング２Ｃをこのように構成することで、静電チャック７１から外方にはみ出した被処理基板Ｋの裏面にデポジットが付着するのを低減することができる。尚、この内周リング２Ｃも周方向に３分割されている。また、図１２において、符号３Ｃは外周リングを示し、符号３Ｃｎは外周リング３Ｃの内周面を示し、符号２Ｃｍは内周リング２Ｃの外周面を示し、符号１Ｃは、内周リング２Ｃ及び外周リング３Ｃから構成されるフォーカスリングを示している。
【００６９】
また、図４（ａ），（ｂ）は、図３の内周リング２における分割リングの接合部の形状の例を示した説明図である。ここで、分割リング２ａと分割リング２ｂとが組み合わされた例について説明したが、他の分割リング同士の組み合わせについても同様である。図４（ａ）では隣接する分割リング２ａと分割リング２ｂとが組み合わされる接合部が垂直面となるように分割リング２ａと分割リング２ｂとの端部がそれぞれ形成されている。図４（ｂ）では隣接する分割リング２ａと分割リング２ｂとが組み合わされる接合部が傾斜面となるように分割リング２ａと分割リング２ｂとの端部がそれぞれ形成されている。本発明の内周リングは、図４（ｂ）に示した態様と採ることができる。図４（ｂ）に示した内周リング２の態様でも、上述した第１〜第３の実施形態に係る内周リング２、２Ａ及び２Ｂと同様に、平面から視た状態で、その接合部において、その下方に位置する下部電極６１が露出されない。このため、プラズマ集中が生じることがないのでプロセスに変動が生じるのを抑制することができる。
【００７０】
また、上述した全ての態様の内周リングにおいて、当該内周リングは、その表面がイットリウムを含む酸化物又はフッ化物によりコーティングされてもよい。例えば、Ｙ２Ｏ３、ＹＦ３、ＹＯＦ等の材質が例示できる。この構成によれば、プラズマ中のイオンやラジカルがフォーカスリングの表面に強いエネルギーで衝突したとしてもその表面が削られにくくなる。
【００７１】
上述した各実施形態では、エッチング処理について説明したが、本発明はこれに限定されず、ＣＶＤ法（化学気相成長法）などを用いた成膜処理にも利用することが可能である。また、上述した各実施形態では、内周リング２、２Ａ、２Ｂ、２Ｃをそれぞれ３分割された分割リングの組み合わせ体としたが、環状の外周に沿って、２分割または４分割以上の分割リングの組み合わせ体としてもよい。但し、分割数は、静電チャックとの隙間の埋め易さ、部品点数（コスト）、各分割リングの重心位置の点から、３分割が最も望ましい。
【００７２】
繰り返しになるが、上述した実施形態は例示に過ぎず、この発明の範囲から逸脱することなく種々の変形が可能である。
【符号の説明】
【００７３】
１，１Ａ，１Ｂ            フォーカスリング
２，２Ａ，２Ｂ、２Ｃ      内周リング
３，３Ａ、３Ｃ            外周リング
１０                      プラズマ処理装置
１１                      処理チャンバ
１５                      基板載置台
１９                      昇降シリンダ
２０                      ガス供給装置
２１，２２，２３，２４    ガス供給部
３０                      プラズマ生成装置
３１                      コイル
３５                      高周波電源
４０                      排気装置
６１                      下部電極
Ｋ                        被処理基板
【図１】
2019169699.tif 000003
【図２】
2019169699.tif 000004
【図３】
2019169699.tif 000005
【図４】
2019169699.tif 000006
【図５】
2019169699.tif 000007
【図６】
2019169699.tif 000008
【図７】
2019169699.tif 000009
【図８】
2019169699.tif 000010
【図９】
2019169699.tif 000011
【図１０】
2019169699.tif 000012
【図１１】
2019169699.tif 000013
【図１２】
2019169699.tif 000014